(57)【要約】【課題】Ｖ字型の鋸刃カッターで様々な切り方を行っても、安定して確実に切れるようにする。【解決手段】鋸刃カッター５を、その中央部ａではカートン本体１の底辺に向けてＶ字状に突き出るように傾斜するとともに、両端部ｂでは中央部ａと逆向きに傾斜しているか或いはカートン本体１の底辺と平行になっている形状とする。鋸刃カッター５の中心からラップフィルムＦをカットできる機能を残しつつ、両端部ｂにおいては前に出た鋸刃カッター５の部分がラップフィルムＦにカットを入れることになって切断しやすくなることから、Ｖ字型の鋸刃カッター５で様々な切り方を行っても、安定して確実に切ることができる。【選択図】図２
2016169044.tif 000002
【特許請求の範囲】
【請求項１】
ロール状に巻かれたラップフィルムが収納される長尺箱状のカートン本体と、カートン本体の後側板の上辺に起伏自在に連設された蓋体と、蓋体の先端に連設されカートン本体の前側板上部に重なる掩蓋片と、掩蓋片の先端に沿って裏側に取り付けられた鋸刃カッターとを備えてなるラップフィルム用カートンにおいて、
鋸刃カッターは、その中央部ではカートン本体の底辺に向けてＶ字状に突き出るように傾斜するとともに、両端部では中央部と逆向きに傾斜していることを特徴とするラップフィルム用カートン。
【請求項２】
ロール状に巻かれたラップフィルムが収納される長尺箱状のカートン本体と、カートン本体の後側板の上辺に起伏自在に連設された蓋体と、蓋体の先端に連設されカートン本体の前側板上部に重なる掩蓋片と、掩蓋片の先端に沿って裏側に取り付けられた鋸刃カッターとを備えてなるラップフィルム用カートンにおいて、
鋸刃カッターは、その中央部ではカートン本体の底辺に向けてＶ字状に突き出るように傾斜するとともに、両端部ではカートン本体の底辺と平行になっていることを特徴とするラップフィルム用カートン。
【請求項３】
鋸刃カッターの両端部にある刃先を外側に向けた形状にしたことを特徴とする請求項１又は２に記載のラップフィルム用カートン。
【発明の詳細な説明】
【技術分野】
【０００１】
本発明は、食品包装などに使用されるラップフィルムを収納するラップフィルム用カートンに属するものである。
【背景技術】
【０００２】
一般的なラップフィルム用カートンは、紙筒にロール状に巻かれたラップフィルムを収納する細長い板紙製の箱であり、上方が開口したカートン本体の後側板上辺に蓋体が連設され、その蓋体の先端に前側板の上部に重なる掩蓋片が連設され、さらにその掩蓋片の先端にミシン目を介して開封片が連設され、掩蓋片の先端裏側には開封片側に突き出るように鋸刃カッターが取り付けられた構成をしており、開封片が前側板に数カ所のスポットで糊接着された状態でラップフィルムを収納している。そして、開封片を剥がして除去することにより開封し、開封したカートンにおける掩蓋片を持ち上げてラップフィルムを所定の長さだけ引き出し、そのまま掩蓋片でラップフィルムを押さえながら引き出したラップフィルムを反対方向に引っ張って鋸刃カッターで切断するようになっている（特許文献１，２参照）。
【０００３】
現在市販されているラップフィルム用カートンは、ラップフィルムのカット方法の観点から大きく２種類に分けられる。その第１の方法は、特許文献１に見られるように、鋸刃カッターが直線型のカートンで行われるものであり、ラップフィルムを切断するに際し、カートンの端の方からラップフィルムを斜めに引っ張りながら切断するタイプである。また第２の方法は、特許文献２に見られるように、鋸刃カッターがＶ字型のカートンで行われるものであり、ラップフィルムを切断するに際し、ラップフィルムを水平に張ってＶ字型の中央部分から突き切るようにカートンを回転させて切断するタイプである。
【先行技術文献】
【特許文献】
【０００４】
【特許文献１】特開平６−２４７４４２号公報
【特許文献０】実公平７−６０９２号公報
【発明の概要】
【発明が解決しようとする課題】
【０００５】
上記した二通りのカット方法のうち、消費者に浸透しているのは前者の直線型カッターのカートンで行われるカット方法である。したがって、後者のＶ字型カッターのカートンであっても、ラップフィルムを切断するときにカートンの端の方からラップフィルムを斜めに引っ張る場合が多い。このようにラップフィルムを斜めに引っ張ると、切ろうとする方向に対して逃げる方向となるので、手で持ったラップフィルムを捩じって切らなければならない。そのため、捩じった分だけラップフィルムの幅方向に張りと撓みが生じ、スムースに切れなくなり、カットミスを起こしてラップフィルムが伝線してしまい、ラップフィルムに無駄を生じることが起きていた。
【０００６】
本発明は、このような事情に鑑みてなされたものであり、その目的とするところは、Ｖ字型の鋸刃カッターで様々な切り方を行っても、安定して確実に切れるようにしたラップフィルム用カートンを提供することにある。
【課題を解決するための手段】
【０００７】
上記の目的を達成するため、本発明のラップフィルム用カートンは、ロール状に巻かれたラップフィルムが収納される長尺箱状のカートン本体と、カートン本体の後側板の上辺に起伏自在に連設された蓋体と、蓋体の先端に連設されカートン本体の前側板上部に重なる掩蓋片と、掩蓋片の先端に沿って裏側に取り付けられた鋸刃カッターとを備えてなるラップフィルム用カートンにおいて、鋸刃カッターは、その中央部ではカートン本体の底辺に向けてＶ字状に突き出るように傾斜するとともに、両端部では中央部と逆向きに傾斜していることを特徴とする。
【０００８】
また、同様の目的を達成するため、本発明のラップフィルム用カートンは、ロール状に巻かれたラップフィルムが収納される長尺箱状のカートン本体と、カートン本体の後側板の上辺に起伏自在に連設された蓋体と、蓋体の先端に連設されカートン本体の前側板上部に重なる掩蓋片と、掩蓋片の先端に沿って裏側に取り付けられた鋸刃カッターとを備えてなるラップフィルム用カートンにおいて、鋸刃カッターは、その中央部ではカートン本体の底辺に向けてＶ字状に突き出るように傾斜するとともに、両端部ではカートン本体の底辺と平行になっていることを特徴とする。
【０００９】
ここでいう中央部とは、カートンの長さ方向の中心から両端方向に所定の間隔をいい、残りの部分を両端部という。
【００１０】
そして、上記いずれのラップフィルム用カートンにおいても、鋸刃カッターの両端部にある刃先を外側に向けた形状にすることが好ましい。
【発明の効果】
【００１１】
本発明のラップフィルム用カートンでは、鋸刃カッターを、その中央部ではカートン本体の底辺に向けてＶ字状に突き出るように傾斜するとともに、両端部では中央部と逆向きに傾斜しているか或いはカートン本体の底辺と平行になっている形状としたことにより、鋸刃カッターの中心からラップフィルムをカットできる機能を残しつつ、両端部においては前に出た鋸刃カッターの部分がラップフィルムにカットを入れることになって切断しやすくなることから、Ｖ字型の鋸刃カッターで様々な切り方を行っても、安定して確実に切ることができる。
【００１２】
そして、鋸刃カッターの両端部にある刃先を外側に向けることで、切る際にラップフィルムを捉えやすくなりより確実にカットを入れて切断することができる。
【図面の簡単な説明】
【００１３】
【図１】本発明の第１実施形態によるラップフィルム用カートンを開封前の状態で示す斜視図である。
【図２】図１のラップフィルム用カートンを開封した状態で示す斜視図である。
【図３】図２のラップフィルム用カートンでラップフィルムを切断する様子を示す説明図である。
【図４】切断カッターの変形例を示す説明図である。
【図５】本発明の第２実施形態によるラップフィルム用カートンを開封前の状態で示す斜視図である。
【図６】図５のラップフィルム用カートンを開封した状態で示す斜視図である。
【発明を実施するための形態】
【００１４】
次に、本発明の実施形態について図面を参照しながら詳細に説明する。
【００１５】
〔第１実施形態〕
図１に示すラップフィルム用カートンＣは、板紙からなる一枚のブランクから組み立てられたものであり、長尺箱状のカートン本体１の後側板の上辺に蓋体２が起伏自在に連設され、その蓋体２の先端には掩蓋片３とこの掩蓋片３に切取り線αで連設された開封片４が連設されている。そして、カートンＣが開封される前の状態では、開封片４の裏面とカートン本体１の前側板とが数カ所のスポットで糊接着されている。なお、開封片４を分離するための切取り線αの形状等は任意であり、図示の如き連続した切込みのほか、ミシン目線、弱線などでもよい。
【００１６】
カートン本体１には、紙筒にロール状に巻かれたラップフィルムＦが収納されている（図２参照）。このラップフィルムは例えば、塩化ビニリデン系、塩化ビニール系、ブタジエン系等の合成樹脂フィルムであるが、特に限定されるものではない。
【００１７】
掩蓋片３と開封片４との境界である切取り線αは、図１に示すように、その中央部ａではカートン本体１の底辺に向けてＶ字状に突き出るように傾斜するとともに、両端部ｂでは中央部ａと逆向きに傾斜するように形成されている。そして、掩蓋片３における先端に沿って裏側に鋸刃カッター５が取り付けられ、その刃先は開封片４の裏側に突き出る状態になっている（図２参照）。
【００１８】
したがって、開封片４をカッター本体１の前側板から剥がし、切取り線αに沿って掩蓋片３から分離して取り去ると、図２に示すように、掩蓋片３の端縁は、その中央部ａではカートン本体１の底辺に向けてＶ字状に突き出るように傾斜するとともに、両端部ｂでは中央部ａと逆向きに傾斜した形状となり、掩蓋片３の端縁から鋸刃カッター５の刃先部分が突き出た状態となる。また、開封片４を取り去った後は、蓋体２が掩蓋片３とともにカートン本体１に対して開閉自在となる。なお、中央部ａはカートンの長さ方向の１／２〜３／４程度でよく、好ましくは中央部ａを２／３程度とし、残りの部分を両端部ｂとするのがよい。また、端部ｂでの切取り線αは切りやすい角度で中央部ａの切取り線αから反転させるようにするとよい。
【００１９】
なお、鋸刃カッター５は、硬質の紙材を連続的に打ち抜いて形成されたものであり、カートン組立前のブランク状態の時点で接着剤により掩蓋片３の端縁裏側に取り付けられる。この鋸刃カッター５の素材としては、板紙に硬化剤を含浸させたものや、パーチメント紙、バルカナイズドファイバー、厚手のトレーシングペーパー等が使用される。また、鋸刃カッター５としては、このような硬質の紙材に限るものではなく、プラスチック製や金属製の鋸刃であっても構わない。
【００２０】
上記構成からなるラップフィルム用カートンＣを開封した後、ラップフィルムＦを取り出すに際しては、まず、一方の手でカートン本体１を保持し、他方の手でラップフィルムＦを引き出す。次いで、一方の手で掩蓋片３とカートン本体１の前側板の間にラップフィルムＦを挟んで押さえた状態とし、そのままカートン本体１を引き出したラップフィルム面に向かって回転させつつ、他方の手でラップフィルムＦの先端を水平若しくは手前に引っ張るようにする。
【００２１】
ラップフィルムＦの先端を水平に引っ張った場合、ラップフィルムＦの幅中央部分に切込みが形成され、そのまま引っ張ることにより切込みが鋸刃カッター５に沿ってラップフィルムの両端に延び、その結果、所定長さのラップフィルムＦが切断されることになる。また、図３に示すように、ラップフィルムＦの先端を手前に引っ張った場合、ラップフィルムＦの端部に切込みが形成され、そのまま手前に引っ張ることにより切込みが鋸刃カッター５に沿ってラップフィルムＦの反対側に延び、その結果、所定長さのラップフィルムＦが切断されることになる。
【００２２】
上記のラップフィルム用カートンＣでは、図４に示すように、鋸刃カッター５の両端部ｂにある刃先を外側に向けた形状にすることが好ましい。このような形状にすることで、ラップフィルムＦの先端を手前に引っ張る際に、鋸刃カッター５によりラップフィルムＦを捉えやすくすることができる。
【００２３】
〔第２実施形態〕
次に本発明の第２実施形態について説明するが、第１実施形態と同様の構成部分については第１実施形態で用いたのと同じ符号を付してある。
【００２４】
図５に示すラップフィルム用カートンＣは、板紙からなる一枚のブランクから組み立てられたものであり、長尺箱状のカートン本体１の後側板の上辺に蓋体２が起伏自在に連設され、その蓋体２の先端には掩蓋片３とこの掩蓋片３に切取り線αで連設された開封片４が連設されている。そして、カートンＣが開封される前の状態では、開封片４の裏面とカートン本体１の前側板とが数カ所のスポットで糊接着されている。また、カートン本体１には、前記したのと同じく、紙筒にロール状に巻かれたラップフィルムＦが収納されている（図６参照）。
【００２５】
掩蓋片３と開封片４との境界である切取り線αは、図５に示すように、その中央部ａではカートン本体１の底辺に向けてＶ字状に突き出るように傾斜するとともに、両端部ｂではカートン本体１の底辺と平行になるように形成されている。そして、掩蓋片３における先端に沿って裏側に鋸刃カッター５が取り付けられ、その刃先は開封片４の裏側に突き出る状態になっている（図６参照）。
【００２６】
したがって、開封片４をカッター本体１の前側板から剥がし、切取り線αに沿って掩蓋片３から分離して取り去ると、図６に示すように、掩蓋片３の端縁は、その中央部ａではカートン本体１の底辺に向けてＶ字状に突き出るように傾斜するとともに、両端部ｂではカートン本体１の底辺と平行な形状となり、掩蓋片３の端縁から鋸刃カッター５の刃先部分が突き出た状態となる。また、開封片４を取り去った後は、蓋体２が掩蓋片３とともにカートン本体１に対して開閉自在となる。なお、中央部ａはカートンの長さ方向の１／２〜３／４程度でよく、好ましくは中央部ａをカートンの長さ方向の２／３程度とし、残りの部分を両端部ｂとするのがよい。また、鋸刃カッター５は、前記したのと同様に、硬質の紙材を連続的に打ち抜いて形成されたものであり、カートン組立前のブランク状態の時点で接着剤により掩蓋片３の端縁裏側に取り付けられる。この鋸刃カッター５の素材も前記したのと同様である。
【００２７】
上記構成からなるラップフィルム用カートンＣを開封した後、ラップフィルムＦを取り出すに際しては、まず、一方の手でカートン本体１を保持し、他方の手でラップフィルムＦを引き出す。次いで、一方の手で掩蓋片３とカートン本体１の前側板の間にラップフィルムＦを挟んで押さえた状態とし、そのままカートン本体１を引き出したラップフィルム面に向かって回転させつつ、他方の手でラップフィルムＦの先端を水平若しくは手前に引っ張るようにする。
【００２８】
ラップフィルムＦの先端を水平に引っ張った場合、ラップフィルムＦの幅中央部分に切込みが形成され、そのまま引っ張ることにより切込みが鋸刃カッター５に沿ってラップフィルムの両端に延び、その結果、所定長さのラップフィルムＦが切断されることになる。また、ラップフィルムＦの先端を手前に引っ張った場合、ラップフィルムＦの端部に切込みが形成され、そのまま手前に引っ張ることにより切込みが鋸刃カッター５に沿ってラップフィルムＦの反対側に延び、その結果、所定長さのラップフィルムＦが切断されることになる。
【００２９】
上記のラップフィルム用カートンＣでは、図４に示したのと同様に、鋸刃カッター５の両端部ｂにある刃先を外側に向けた形状にすることが好ましい。このような形状にすることで、ラップフィルムＦの先端を手前に引っ張る際に、鋸刃カッター５によりラップフィルムＦを捉えやすくすることができる。
【００３０】
以上、本発明の実施形態について詳細に説明してきたが、本発明によるラップフィルム用カートンは、上記した実施形態に何ら限定されるものではなく、本発明の趣旨を逸脱しない範囲において種々の変更が可能である。
【符号の説明】
【００３１】
Ｃ  ラップフィルム用カートン
Ｆ  ラップフィルム
１  カートン本体
２  蓋体
３  掩蓋片
４  開封片
５  鋸刃カッター
ａ  中央部
ｂ  両端部
α  切取り線
【図１】
2016169044.tif 000003
【図２】
2016169044.tif 000004
【図３】
2016169044.tif 000005
【図４】
2016169044.tif 000006
【図５】
2016169044.tif 000007
【図６】
2016169044.tif 000008